(57)【要約】【課題】従来から巻物梱包用中間パッドは支持体と突起部とが異種材料で構成されており、一体化されていない場合には梱包、開包の作業性が課題であり、一体化していても異種材料間の耐久性が異なり交換を要した。また、重量のある巻物製品用には突起部にプラスチック射出成形品を使用しており高価であった。【解決手段】耐久性のあるビーズ法ポリオレフィン系発泡体による支持体と突起部を一体成形を行った。さらに荷重配分を考慮して、巻物製品の荷重が最も掛かる支持体と突起部との付け根部を他素材で補強することでコストダウンした。また、補強材を接着しないで挿着させる方法として、ポリオレフィン発泡体の柔軟性を利用し、成形時にアンダーカット部を形成し、ここに補強材を挿着固定した。突起部の形状でスタック性を、帯電防止剤で汚れ問題を解決した。【選択図】　図２
2004067188.tif 000002
【特許請求の範囲】
【請求項１】
巻物製品を整列して多段に積層支持する板状の支持体と巻物のボビン端部を挿入して固定させる突起部とがビーズ法ポリオレフィン系発泡体で一体的に形成されていることを特徴とする巻物梱包用中間パッド。
【請求項２】
ビーズ法ポリオレフィン系発泡体が発泡ポリプロピレンであって、その密度が２０〜３００ｇ／Ｌであることを特徴とする請求項１に記載の巻物梱包用中間パッド。
【請求項３】
突起部が未使用時、積み重ねた時に相互に係合する形状となる請求項１に記載の巻物梱包用中間パッド。
【請求項４】
ビーズ法ポリオレフィン系発泡体に帯電防止処理した請求項１〜３のいずれか１項記載の巻物梱包用中間パッド。
【請求項５】
突起部と板状の支持体との付け根部に剛性、耐久性のある素材で形成された板状あるいはシート状のフランジを挿入することを特徴とする請求項１〜４のいずれか１項記載の巻物梱包用中間パッド。
【請求項６】
前記フランジの外周および内周の先端部の一部または全部を突起部および支持体に設けられたアンダーカット部に挿着して固定できるようにした請求項１〜５のいずれか１項記載の巻物梱包用中間パッド。
【発明の詳細な説明】
【０００１】
【発明の属する技術分野】
本発明は巻糸体、フィルム、テープなどの巻物製品を整列して多段に積層梱包する、改良された巻物梱包用中間パッドに関する。
【０００２】
【従来の技術】
巻物製品を整列して多段に積層梱包して輸送する方法としては、巻物製品を巻いた紙管、ボビンなどの端部を支持体の所定の位置にある穿孔部に上下から挿入して巻物製品自体を板状の支持体に接触させて積層荷重を受ける方法と、別の方法として板状支持体の所定の位置の上下に突起部を取り付け、この突起部に紙管、ボビンなどの端部を挿入し、その端部端面に掛かる積層荷重を支持体面で直接受けるか、または突起部と一体的に形成された鍔部で受け止めて巻物製品自体を板状の支持体に接触させない方法との２つがある。
【０００３】
前者の方法における支持体の材質はダンボールが一般的であって、数枚のダンボールを糊貼りして、所定の位置数ヶ所を抜き型で穿孔したものを使用している。ダンボール製支持体の厚みは、紙管、ボビンなどの端部が上下から挿入されるので、端部の長さの２倍以上が必要であり厚くなっている。巻物製品自体が直接ダンボールの表面に接触し、輸送中に擦れて磨耗しゴミが付着することと、湿度が高い場所に曝されるとダンボールは剛性を失い易いことから、実開平５−８６８５６や特開平５−３０５９８２に見られる様にこの穴開きダンボール板をポリエチレンフィルムなどでカバーして改良したものもある。この際、紙巻、ボビンなどの端部をダンボール板の穿孔部に上下から挿入できるようフィルムカバーには弛みが設けられている。
【０００４】
本発明の対象となる後者の方法は、公開実用昭和５８−７１０４９、公開実用昭和５８−１５６６６９に見られる様に、いずれも上下に突起部があり中央部に鍔部を持つプラスチック製の柱状体を接着、篏合あるいは一体的に作製し、これを柱状体径に相当する径の穿孔部を持つ支持体を上から挿入して鍔部で支持体を止めるか、または柱状体を支持体の穿孔部に挿し込んで鍔部で係止して、次ぎに柱状体の上下の突起部に紙管、ボビンなどの端部を篏合し、多段に積層する方法である。また、公告実用平成７−４３０９８は同様の方法であるが支持体を挟み込み、ボルト止めして柱状体を形成する点が異なる。また、特開平９−１８３４５６は板状支持体が紙製であって突起物がパルプモールド製である積層梱包用中間パッドを提案している。
【０００５】
【発明が解決しようとする課題】
前者の方法は本発明の対象ではないが、ダンボールを厚く貼りあわせ穿孔するのでコスト高であることと巻物製品が直接支持体に触れるので汚れや支持体の耐久性が課題となっている。後者の方法は突起部に紙管、ボビンなどの端部を篏合し鍔部でその端部端面を支持するので、荷重は上下に突起を持つ柱状体が重力方向に受けるので支持体は横揺れ防止性能を持てば良く、薄物ダンボール板などで済ますことができる良さがある。しかしながら、上下に突起のあるプラスチック製の柱状体を作製するには高価な射出成形用金型が必要であることと上下に突起を持つ柱状体は一般的に一体成形ができないので、後から２つの突起物を貼り合わせる、篏合する、ボルト止めするなどして一体化させる必要があり、コストおよび手間が掛かる問題がある。また、柱状体と支持体とが一体ではなく、分離使用の場合には巻物製品を梱包する時に手間が多くなることと取り外した後の部品としての整理が大変である。公告実用平成７−４３０９８は柱状体と支持体とをボルトで一体化しているが、柱状体と支持体の耐久性が全く異なり、古くなったダンボールなどの支持体を交換することになるが簡単ではない。特開平９−１８３４５６の突起物がパルプモールド製である積層梱包用中間パッドは軽い巻物製品には適するかもしれないが、重量のある巻物製品では荷重に耐えないので一般的ではない。本発明はかかる事情に鑑み考案されたもので、柱状体と支持体とが同一材料で一体的に形成された耐久性のある巻物梱包用中間パッドを提供することにある。
【０００６】
【課題を解決するための手段】
上記に課題として挙げた、柱状体と支持体とが同一材料で一体的に形成できる方法を検討した結果、耐久性が期待できるビーズ法ポリオレフィン系発泡体の型内成形品を適用することにより上記課題が大幅に改善されることを見出し本発明を完成するに至った。
【０００７】
柱状体と支持体とが同一材料で一体的に形成できる方法としては、
プラスチックの射出成形品、発泡樹脂のビーズ法型内成形品、パルプモールド、シートの真空成形品の貼り合わせがある。プラスチックの射出成形品は耐久性があって理想的であるが、現実的でないのは金型が非常に高いことと、成形品が重くなるので作業性が悪い点にある。発泡樹脂のビーズ法型内成形品の代表は発泡スチロール製であるが、耐久性がなく仮に高密度品を採用してもワレ、欠けが発生し易い。パルプモールドはダンボール製と同じく吸湿して剛性を失う素材であり、突起部が脆いことと支持体が曲がりやすい欠点がある。また、シートの真空成形品の貼り合わせは後加工を伴うことと突起部も支持体も薄くて荷重に耐え難く重い巻物製品の梱包には適さないことが指摘された。
【０００８】
上記の検討に鑑み、本発明は柱状体と支持体とが同一材料で一体的に形成できる方法として、耐久性の期待できるビーズ法ポリオレフィン系発泡体の適用を提案する。ビーズ法ポリオレフィン系発泡体には発泡ポリエチレン、発泡ポリプロピレン、ポリエチレン−ポリスチレン複合樹脂の発泡体、エチレン−酢ビ共重合体による発泡体などがあるが、中でも剛性と柔軟性を兼ね備えかつ耐久性のある発泡ポリプロピレンが好ましい。
【０００９】
ビーズ法発泡ポリプロピレンは密度を変えることにより、巻物梱包用中間パッドとしてのコストと要求性能を満たすことが可能であり、重い巻物製品には密度の高いものを採用し、軽い巻物製品には密度の低いものを採用すると良い。超軽量から超重量の巻物製品に対応できるビーズ法発泡ポリプロピレンの密度の幅は２０〜３００ｇ／Ｌが適当である。また、後述のごとく紙管、ボビンなどの端部端面の荷重を直接受ける部分を他材料で補強する方法を取れば比較的密度の低い発泡ポリプロピレンでも採用できコストダウンができる。
【００１０】
ビーズ法型内発泡成形法は予め発泡した粒子を閉鎖した雌雄の金型内に原料として充填し、金型周囲のチャンバー室から金型表面にある無数のベントを通じ蒸気を投入することにより２次発泡させ、後に冷却して、金型形状に一致した形状の発泡成形体を得る方法である。この方法によれば、巻物梱包用中間パッドとしては上下に突起部のあるものと底板と天端板は片方のみ突起部のあるものが必要となるが、雌雄どちらかの金型内の突起部（金型から見ると凹陥部）を金型駒化して平板の金型駒と予め交換すれば容易に成形可能となる。
【００１１】
支持体に上下の突起部が一体化された巻物梱包用中間パッドは未使用時には、片付けるに際し突起部が妨害となるが、金型設計に際し積み重ねた時突起部が相互に篏合する形状とすることによりコンパクトな収納が可能となる。
【００１２】
また、一般にプラスチックや発泡樹脂は帯電し易い素材であり、巻物梱包用中間パッドにおいては輸送中の振動などで帯電する可能性が高く、この際塵芥などが付着して巻物製品を汚す恐れがある。この場合には、帯電防止能を有する添加剤を原料に練り込むあるいは添付することで解決できる。
【００１３】
支持体と突起部で構成される巻物梱包用中間パッドは突起部が紙巻、ボビンなどの端部を支え、鍔部がその端部端面の荷重を直接受ける荷重配分となっているため、本発明によるポリオレフィン系発泡体製の巻物梱包用中間パッドをさらにコストダウンする方法を提案する。本発明はポリオレフィン系発泡体にて支持体と突起部を一体的に形成するが、支持体部分と突起部の荷重負担が突起部の付け根部より低いので、比較的低密度（概ね、９０ｇ〜２０ｇ／Ｌ）のビーズ法ポリオレフィン系発泡体を使用して素材費をコストダウンし、突起部の付け根部は紙管、ボビンなどの端部端面が直接当たり荷重を最も受ける部分であるので、剛性、耐久性のある素材で形成された板状あるいはシート状のフランジを別途挿入して補強する方法である。この際フランジは突起部あるいは支持体に接着などで固定することが望ましい。フランジが突起部から簡単に外れてしまうと未使用時のスタッキング時に分離して好ましくない。
【００１４】
上述した接着剤による固定は煩雑であることと、フランジが損傷した場合フランジのみ交換したいが接着されているとできないなど問題点が指摘されるので、本発明ではさらに簡便な方法を提案する。ビーズ法ポリオレフィン系発泡体は同じ型内成形法を用いる発泡スチロールとは違い柔軟性に富むため、金型成形後の離型時に成形体の形状に多少のアンダーカット部があっても弾性変形して製品を傷つけることなく離型することが可能であろうと推定し、金型製作して実験を繰り返した結果、突起部の付け根部にアンダーカット部を設けたサンプルを試作することができた。このアンダーカット部を利用してフランジを突起部に強制的に押し込むことによりフランジを良好に支持体に挿着固定することができた。本方法は固定する位置をフランジの内周の先端部に限定する必要はなく、固定が充分であれば、フランジ外周の先端部でも良く、また一部であっても全部であっても良い。
【００１５】
【発明の実施の形態】
以下、本発明によるビーズ法ポリオレフィン系発泡体により製造された巻物梱包用中間パッドの実施の形態について図面を参照しながら説明する。
図１〜２は本発明の巻物梱包用中間パッドの支持体と突起部を一体的に形成した１実施例における形状図で、図３は巻物製品を積載した状態図である。図１は平面図で図２は上、中、下３種の中間パッドの側面図である。符号１は符号３を兼ねるので実際には２種あればよい。
【００１６】
図４は従来からの実施されている形態の１比較例における巻物製品の組み立て図である。柱状体と支持体とが一体となっていないことを示す。柱状体が高価であること、巻物製品の梱包時に手間が掛かるあるいは開包時の部品の整理が大変である課題を抱えている。
【００１７】
図５は突起部どうしを重ね合わせたときにコンパクトになる形状の１代表例を示す平面図（背面図も同一）である。図６は重ね合わせた側面図である。重ね合わせたときにコンパクトになる形状はこの他に幾例もある。
【００１８】
発泡樹脂もプラスチック製と同じく通いの包装資材として何回も使用すると帯電して塵埃などが付着し易く、巻物製品の汚染の原因になる。そこで、発泡ポリプロピレンに帯電防止剤の添加された原料により本発明の巻物梱包用中間パッドを作製しテストしたが、帯電防止剤のないものと比較して塵埃の付着し難さは顕著であった。
【００１９】
図７は本発明の巻物梱包用中間パッドの支持体と突起部との付け根部を他素材により補強したことを示す図である。図８は巻物製品を梱包した部分図である。実施例ではビーズ法発泡ポリプロピレンの密度６０ｇ／Ｌで本発明の中間パッドを成形し、フランジとして無架橋押出し法発泡ポリプロピレンシート（三井化学製、パロニアＰＰ、３倍品）を打ち抜き歯で打ち抜いたものを使用し、接着剤で支持体に貼り付けた。巻物製品を梱包して振動試験した結果、補強効果が充分に発揮された。
【００２０】
図９はフランジを接着しないで支持体および突起部で固定する方法を検討した結果、考案した方法を示す突起部中央断面の側面図である。図９の符号１２の支持体と突起部との付け根部のアンダーカット部は型内成形法により強制的に離型した結果によるもので、発泡ポリプロピレンが柔軟性を有するため損傷なく離型できたことを示す。本実施例ではフランジの内周の先端部の全体に匹敵する部分をアンダーカットしたが、外周の先端部でも、また全部でなく一部でも可能である。
【００２１】
【発明の効果】
中間パッドの支持体と突起部を耐久性のある同一素材で一体化したことにより、梱包、開包の作業性が向上し、繰り返し使用の頻度が高められた。また、支持体と突起部の付け根部を他素材で補強することでコストダウンを可能とした。補強のためのフランジを接着剤を使用せずに挿着固定を可能とした。合わせて、帯電問題を解決し、スタック性を向上させた。
【図面の簡単な説明】
【図１】中間パッド平面図
【図２】中間パッド側面図
【図３】巻物製品を積載した状態図
【図４】従来からの巻物製品の組み立て図
【図５】突起部どうしを重ね合わせたときにコンパクトになる形状の平面図
【図６】突起部どうしを重ね合わせたときにコンパクトになる形状の側面図
【図７】中間パッドの支持体と突起部との付け根部を補強した図
【図８】補強した中間パッドで巻物製品を梱包した部分図である。
【図９】アンダーカット部でフランジを固定する突起部中央断面の側面図
【符号の説明】
１　　最上端の中間パッド側面図
２　　中間で使用する中間パッドの側面図
３　　最下端の中間パッド側面図
４　　中間パッド
５　　紙管またはボビン
６　　巻物製品
７　　柱状体
８　　上突起部
９　　下突起部
１０　支持体
１１　フランジ
１２　アンダーカット部
【図１】
2004067188.tif 000003
【図２】
2004067188.tif 000004
【図３】
2004067188.tif 000005
【図４】
2004067188.tif 000006
【図５】
2004067188.tif 000007
【図６】
2004067188.tif 000008
【図７】
2004067188.tif 000009
【図８】
2004067188.tif 000010
【図９】
2004067188.tif 000011